(57)【要約】      （修正有）【課題】自転車などでの走行時に人が走行路の周囲からの警報音などの音を聞こえやすくして、危険を回避し、また、人の耳の中に種々の粉塵が侵入するのを防止する耳保護具付きヘルメットを提供する。【解決手段】表側に突出している湾曲形の風切り本体１に取付突起２を風切り本体１と一体に設け、風切り本体１の端部を裏側に突出した突出部を設ける。取付突起２に上下方向の取付穴を設け、この取付穴に支持体４の下部を止着する。この支持体の上部に形成した取付輪に止着ビス６を挿入し、止着ビスで耳保護具をヘルメット７の左右両側の所定の位置に止着する。【選択図】図１
0003166940.tif 000002
【実用新案登録請求の範囲】
【請求項１】
上方側から下方側に向けて耳の形状に応じて表側に突出している湾曲形にするとともに顔と反対の端部を裏側に突出した突出部を有する硬質合成樹脂製風切り本体に、顔寄りの表面側に突出した取付突起を設けるとともに該取付突起に上下方向に取付穴を設け、該取付穴に金属製支持体の下部を挿入して止着し、該金属製支持体の上部を円弧形にした取付輪を形成して該取付輪に止着具を挿入して２個の耳保護具を止着具でヘルメットの左右両側の所定の位置にそれぞれ１個ずつ止着してなる耳保護具付きヘルメット。
【請求項２】
風切り本体が、透明な合成樹脂樹脂風切り本体である請求項１記載の耳保護具付きヘルメット。
【請求項３】
取付突起が、円柱形である請求項１又は２記載の耳保護具付きヘルメット。
【請求項４】
取付突起が、角柱形である請求項１又は２記載の耳保護具付きヘルメット。
【請求項５】
金属製支持体が、針金である請求項１又は２記載の耳保護具付きヘルメット。
【請求項６】
金属製支持体が、真鍮である請求項１又は２記載の耳保護具付きヘルメット。
【請求項７】
止着具が、止着ビスである請求項１又は２記載の耳保護具付きヘルメット。
【請求項８】
止着具が、ボルトとナットである請求項１又は２記載の耳保護具付きヘルメット。
【考案の詳細な説明】
【技術分野】
【０００１】    この考案は、自転車、オートバイ、オープンカーなどの車に人が乗る際に、頭部に被せるヘルメットに係るものである。
【背景技術】
【０００２】
【先行技術文献】
【特許文献】
【特許文献】  従来は自転車などの車に人が乗る際は、人の頭部だけを覆うヘルメットが一般に使用されていた。また、従来は低温に対する最適な保護を提供する耳プロテクタ付きのヘルメット（特許文献１参照）がある。
【０００３】
【特許文献１】特開２００９−４６７９６
【考案の概要】
【考案が解決しようとする課題】
【０００４】  この考案は、人が自転車でロードレースなどで高速、例えば時速５０Ｋｍ位で走行すると、人は耳の中に前から強い風を受けるために耳の中で風切り音が発生し、人の鼓膜まで到達する。
この風切り音が大きくなればなる程、人は走行の周囲の警報音などの音を聞くことが難しくなるから、危険を回避できなくなるおそれがあるという問題点があるし、人は耳の中に、他の車の排気ガス中の粉塵や道路から撒き上げられた粉塵、大気中の粉塵が、侵入するなどの問題点があった。【０００５】  この考案は、従来のヘルメットが有する問題点を解消することであり、人が走行路の周囲からの警報音などの音を良く聞こえることや危険を回避すること及び人の耳の中に種々の粉塵が侵入することなどの問題点を解消することである。
【問題を解決するための手段】
【０００６】  この考案の耳保護具付きヘルメットは、上方側から下方側に向けて耳の形状に応じて表側に突出している湾曲形にするとともに顔と反対の端部を裏側に突出した突出部を有する硬質合成樹脂製風切り本体に、顔寄りの表面側に突出した取付突起を、設けるとともにこの取付突起に上下方向に取付穴を設けてこの取付穴に金属製支持体の下部を挿入して止着し、この金属製支持体の上部を円弧形にした取付輪を形成してこの取付輪に止着具を挿入して２個の耳保護具を止着具でヘルメットの左右両側の所定の位置に１個ずつ止着したものである。
【考案の効果】
【０００７】  この考案の耳保護具付きヘルメットは、上方側から下方側に向けて耳の形状に応じて表側に突出している湾曲形にするとともに顔と反対の端部を裏側に突出した突出部を有する硬質合成樹脂製風切り本体に、顔寄りの表面側に突出した取付突起を、設け、この取付突起に上下方向に取付穴を設けてこの取付穴に金属製支持体の下部を挿入して止着し、この金属製支持体の上部を円弧形にした取付輪を形成してこの取付輪に止着具を挿入して２個の耳保護具を止着具でヘルメットの左右両側の所定の位置に１個ずつ止着したから、このヘルメットを人の頭部に装着することにより左右の耳を湾曲した風切り本体でそれぞれ耳の前方の顔部から耳の穴の後方までそれぞれ被覆することができることにより風切り本体は非通気性であるために風切りを良く遮断することができる。このために人は車で走行なかに周囲の警報音などの音を良く聞くことができるし、警報音などの音を良く聞こえることができるとともに危険などを回避することができる。
更に、同様の理由により、他の車の排気ガス中の粉塵や道路から撒き上げられた粉塵、大気中の粉塵、他の有害物質が装着者は耳の中に侵入するのを防止することができる。
【０００８】  請求項２の耳保護具付きヘルメットにおいては、風切り本体が透明で厚さが薄い合成樹脂樹脂製であるから、風切り本体を装着者の顔の側面に押し当てると、湾曲している風切り本体は装着者の顔の側面に合致した状態で使用することができるとともに風切り本体が透明なために装着時に外観を美しくすることができる。
【０００９】  請求項３の耳保護具付きヘルメットにおいては、取付突起が円柱形であるから、使用時に風切りの空気抵抗を少なくすることができる。
【００１０】  請求項４の耳保護具付きヘルメットにおいては、取付突起が角柱形であるから、取付時に金属製支持体の下部を取付突起の取付穴に挿入する際に、角柱形の取付突起を工具で容易に固定することができるために、金属製支持体の下部を取付突起の取付穴に強く固定することができる。
【００１１】  請求項５の耳保護具付きヘルメットにおいては、金属製支持体が針金であるから、針金は丈夫で比較的価格が安価であるために、金属製支持体と取付突起とを強くて安価に固定することができる。
【００１２】  請求項６の耳保護具付きヘルメットにおいては、金属製支持体が真鍮であるから、真鍮は比較的容易に曲げることができるために、装着者の顔の側面及び耳の位置や角度に合わせて手で容易に微調整変形して使用することができる。
【００１３】  請求項７の耳保護具付きヘルメットにおいては、止着具が止着ビスであるから、風切り本体の金属製支持体とヘルメットとを簡単に止着することができるとともに長期間使用後などに耳保護具付きヘルメットの部品に不都合が生じた時に、不良部品を簡単に取外し、新部品を取付けて交換することができる。
【００１４】  請求項８の耳保護具付きヘルメットにおいては、止着具がボルトとナットであるから、風切り本体の金属製支持体とヘルメットとを簡単に止着することができるとともに長期間使用後などに耳保護具付きヘルメットの部品に不都合が生じた時に、不良部品を簡単に取外し、新部品を簡単に取付けて交換することができる。
【００１５】
【図面の簡単な説明】
【００１６】
【図１】  本考案品の着用時の側面図である。
【図２】  同じく正面図である。
【図３】  １方の耳保護具の正面図である。
【図４】  風切り本体の拡大正面図である。
【図５】  図４のＡ−Ａ断面図である。
【図６】  図４のＢ−Ｂ断面図である。
【考案を実施するための形態】
【００１７】  この考案の耳保護具付きヘルメットは
上方側から下方側に向けて耳の形状に応じて表側に突出している湾曲形にするとともに顔と反対の端部を裏側に突出した突出部を有する硬質合成樹脂製風切り本体に、顔寄りの表面側に突出した取付突起を、設けるとともにこの取付突起に上下方向に取付穴を設けてこの取付穴に金属製支持体の下部を挿入して止着し、この金属製支持体の上部を円弧形にした取付輪を形成してこの取付輪に止着具を挿入して２個の耳保護具を止着具でヘルメットの左右両側の所定の位置に１個ずつ止着したものである。
【実施例１】
【００１８】  耳保護具付きヘルメットは、図４から図６に図示したように、左側の透明で厚さが薄い硬質合成樹脂製風切り本体１には右端部で上下方向の中央部表面に、円柱形の取付突起２を、風切り本体と一体に設け、右側の透明で厚さが薄い硬質合成樹脂製風切り本体１には左端部で上下方向の中央部表面に、取付突起２を、風切り本体１と一体に設ける。
この風切り本体１は上方側から下方側に向けて耳の形状に応じて表側に突出している湾曲形にするとともに顔と反対の端部を裏側に突出した突出部１´を有するものであり、取付突起２は上下方向の取付穴３を設ける。
真鍮の金属製支持体４は上部を円弧形にした取付輪４´を形成して上部から下は直線状にし、この直線状支持体の下部を前記取付突起の取付穴３に挿入して止着して耳保護具５を形成する。
これらの２個の耳保護具の取付輪４´に止着具の止着ビス（タッピングビス）６でヘルメット７の左右両側の所定の位置に耳保護具を１個ずつ止着した耳保護具付きヘルメット８（図１図２図示）である。
なお、この支持体（真鍮）の下部を、風切り本体の脱落防止と着用者の身体の安全性を高めるために、購入時または着用時に着用者の最適な位置で直角（図１の図面上の垂直方向から水平方向）に、折曲げて支持体の先端部を取付突起の外周縁で切断するとよい。【００１９】  この実施例では、風切り本体として透明厚さが薄い硬質合成樹脂ものを用いたものについて説明したが、硬質合成樹脂は着色したものもよいし、取付突起は円柱形のものに代えて角柱形のものもよい。更に、金属製支持体は真鍮に代えて他の金属（針金、アルミニウム合金）のものもよいし、止着具は止着ビス代えてボルトとナットなどでもよく、止着具とヘルメットとの間にワッシヤーを介在させてもよい。
【符号の説明】
【００２０】１    風切り本体
１´  裏側突出の突出部
２    取付突起
３    取付穴
４    支持体
４´  取付輪
５    耳保護具
６    止着ビス
７    ヘルメット
８    耳保護具付きヘルメット
【図１】
0003166940.tif 000003
【図２】
0003166940.tif 000004
【図３】
0003166940.tif 000005
【図４】
0003166940.tif 000006
【図５】
0003166940.tif 000007
【図６】
0003166940.tif 000008